(57)【特許請求の範囲】
【請求項１】
所望チャンネルの放送番組を選択受信する受信手段と、
外部から放送番組に関する電子番組表を入手する入手手段と、
複数の放送局で別々に放送されている、予め設定された一又は二以上のジャンルの番組を、前記入手手段により入手された前記電子番組表に基づいて検出する検出手段と、
前記受信手段により受信された放送番組の信号を、記録媒体の予め設定された記録領域に記録する記録手段と、
前記検出手段により検出された前記設定されたジャンルの番組を前記受信手段により受信させ、その受信番組の信号を前記記録手段により前記予め設定された記録領域に上書き記録させる制御手段と
を有することを特徴とする記録装置。
【請求項２】
前記制御手段は、前記検出手段により検出された前記設定されたジャンルの受信番組の信号を、前記記録手段により前記予め設定された記録領域に予め定めた時間上書き記録させることを特徴とする請求項１記載の記録装置。
【請求項３】
前記制御手段は、前記検出手段により検出された前記設定されたジャンルで、かつ、予め設定された放送時間の受信番組の信号を、前記記録手段により前記予め設定された記録領域に上書き記録させることを特徴とする請求項１記載の記録装置。
【請求項４】
前記入手手段は、前記電子番組表を、受信するテレビジョン放送信号の垂直帰線消去期間、又はインターネット上のサイト、又はデジタル放送のデータ放送から入手することを特徴とする請求項１乃至３のうちいずれか一項記載の記録装置。
【請求項５】
前記制御手段は、前記予め設定された記録領域への番組信号の上書き記録を、前記記録手段が使用されていないときに実行することを特徴とする請求項１乃至３のうちいずれか一項記載の記録装置。
【請求項６】
前記検出手段により検出された前記設定されたジャンルの番組が重複したときの優先度を指定する優先度指定手段を更に有し、前記制御手段は、前記検出手段により検出された前記設定されたジャンルの番組が重複したときは、前記優先度指定手段により指定された方の番組の信号を、前記記録手段により前記予め設定された記録領域に上書き記録させることを特徴とする請求項１乃至３のうちいずれか一項記載の記録装置。
【請求項７】
前記検出手段により検出された前記設定されたジャンルの番組は、テレビジョン放送のニュース番組及び天気予報番組の一方又は両方であることを特徴とする請求項１乃至３のうちいずれか一項記載の記録装置。
【請求項８】
前記検出手段により検出された前記設定されたジャンルの番組は、デジタルラジオ放送のニュース番組、天気予報番組及び交通情報番組のうちのいずれか一又は二以上の番組であることを特徴とする請求項１乃至３のうちいずれか一項記載の記録装置。
【発明の詳細な説明】
【０００１】
【発明の属する技術分野】
本発明は記録装置に係り、特に電子番組表（ＥＰＧ）の入手及び表示機能と、放送番組の映像信号等を記録する機能を有する記録装置に関する。
【０００２】
【従来の技術】
蓄積型データ放送では、同一放送局での最新のダイジェストニュース情報の更新が検討されている。この場合、同一放送局の最新のダイジェストニュース情報を視聴することができる。また、これは、内蔵ハードディスクにディジタル形式でテレビジョン放送番組を録画する、公知のパーソナル・ビデオ・レコーダ（ＰＶＲ）で既に行われていることと同等である。一方、ＰＶＲでは、いろんなチャンネルの同一ジャンルの放送信号を幾つも記録する、お好み録画、エージェント機能を有することが既に知られている。
【０００３】
【発明が解決しようとする課題】
しかるに、上記の蓄積型データ放送の場合、更新されるダイジェストニュース情報は、同一放送局から送信されるものであるため、その放送局の更新サイクルに依存してしまう。しかし、視聴者が普段テレビでニュースや天気予報の情報を得るのは、見たいときにたまたま放送していれば、放送局にこだわらずに視聴するのが普通であり、同一放送局からのダイジェストニュース情報が視聴者が見たいときに常に最新であるとは限らない。
【０００４】
また、ＰＶＲのお好み録画やエージェント機能は、すべてのチャンネルの所望のジャンル（例えば、ニュースや天気予報）の放送信号を録画してしまうと、番組数が多いため、直ぐに記録媒体が一杯になってしまう。
【０００５】
本発明は以上の点に鑑みなされたもので、放送局に依存することなく、安価な構成により、所望のジャンルの放送番組を記録し得る記録装置を提供することを目的とする。
【０００６】
【課題を解決するための手段】
上記の目的を達成するため、本発明の第１の記録装置は、所望チャンネルの放送番組を選択受信する受信手段と、外部から放送番組に関する電子番組表を入手する入手手段と、複数の放送局で別々に放送されている、予め設定された一又は二以上のジャンルの番組を、入手手段により入手された電子番組表に基づいて検出する検出手段と、受信手段により受信された放送番組の信号を、記録媒体の予め設定された記録領域に記録する記録手段と、検出手段により検出された設定されたジャンルの番組を受信手段により受信させ、その受信番組の信号を記録手段により予め設定された記録領域に上書き記録させる制御手段とを有する構成としたものである。
【０００７】
この発明では、同じジャンルの番組を放送局に関係なく受信して、記録媒体の予め設定された記録領域に上書き記録するようにしたため、一つの放送局に依存することなく最後に受信された設定ジャンルの番組の信号を記録媒体の記録領域に保持することができる。
【０００８】
また、上記の目的を達成するため、本発明の第２の記録装置は、上記の制御手段を、検出手段により検出された設定されたジャンルの受信番組の信号を、記録手段により予め設定された記録領域に予め定めた時間上書き記録させることを特徴とする。この発明では、設定されたジャンルの受信番組の信号を、限られた記録領域に限られた時間だけ記録する。
【０００９】
また、上記の目的を達成するため、本発明の第３の記録装置は、上記の制御手段を、検出手段により検出された設定されたジャンルで、かつ、予め設定された放送時間の受信番組の信号を、記録手段により予め設定された記録領域に上書き記録させることを特徴とする。この発明では、設定されたジャンルの受信番組のうち、設定された放送時間の受信番組の信号だけを、限られた記録領域に記録する。
【００１０】
また、上記の目的を達成するため、本発明の第４の記録装置は、入手手段を、受信するテレビジョン放送信号の垂直帰線消去期間、又はインターネット上のサイト、又はデジタル放送のデータ放送から電子番組表を入手する構成としたことを特徴とする。
【００１１】
また、上記の目的を達成するため、本発明の第５の記録装置は、制御手段を、予め設定された記録領域への番組信号の上書き記録を、記録手段が使用されていないときに実行することを特徴とする。
【００１２】
また、上記の目的を達成するため、本発明の第６の記録装置は、検出手段により検出された設定されたジャンルの番組が重複したときの優先度を指定する優先度指定手段を更に有し、制御手段は、検出手段により検出された設定されたジャンルの番組が重複したときは、優先度指定手段により指定された方の番組の信号を、記録手段により予め設定された記録領域に上書き記録させる構成としたことを特徴とする。本発明では、使用者の意図に応じた優先順位で所望のジャンルの番組を記録することができる。
【００１３】
【発明の実施の形態】
次に、本発明の実施の形態について図面と共に説明する。図１は本発明になる記録装置の一実施の形態のブロック図を示す。本実施の形態の記録装置１０は、テレビジョン放送信号を選択受信する受信機１１と、受信機１１から出力される所望チャンネルの受信放送信号を記録媒体に記録する記録部１２と、受信機から出力される受信放送信号中の垂直帰線消去期間（ＶＢＩ）中に多重されている電子番組表（ＥＰＧ）データより番組情報を取得する番組情報取得部１３と、受信機１１及び記録部１２の動作を制御する制御部１４と、使用者から入力された指示信号を制御部１４に供給するユーザインタフェース（ＩＦ）１５とから構成されている。
【００１４】
本実施の形態の記録装置１０は、ＥＰＧデータのジャンル情報から所望のジャンル情報を検出して、記録媒体に確保した一定の領域に記録部１２が所望のジャンル情報の放送信号を上書き記録するようにしたものである。
【００１５】
ここで、ＥＰＧには、主だったジャンル情報があり、例えば、映画、スポーツ、ドラマ、アニメ、料理、バラエティ、クイズ、ニュース、旅行、天気予報などに分類されている。なお、ニュース番組は数分のスポットニュースから、１時間以上の報道番組など様々であるが、本実施の形態では、主に短い時間の番組を対象にしたものであり、再生時に音声付１．５倍速などで内容を直ぐに見終わる番組を記録することを想定している。
【００１６】
次に、上記のことを踏まえて、本実施の形態の動作について説明する。まず、使用者はユーザＩＦ１５を介して記録部１２内の記録媒体に、上記の音声付１．５倍速で内容を直ぐに見終わる程度の情報量を記録する記録領域を確保する。この使用者が設定した記録領域への記録は、記録装置１０が他の記録動作、他の通常の予約録画等で使用されていないときに実行される。
【００１７】
いま、使用者がユーザＩＦ１５を介して希望するジャンル情報と、そのジャンル情報の番組の放送時間枠、検出した番組が重複した場合の優先度、初めから除外する放送局、指定時間以上の番組は除外するのか、番組途中で切れてもよいから記録するのかなどの情報を、制御部１４に設定する。ここで、本実施の形態が対象とする上記のジャンル情報は、比較的短時間で更新されると共に、複数の放送局で別々に放送されている同じジャンル情報であり、例えば、ニュース、天気予報などがある。なお、ニュース番組中にて放送される天気予報は、ニュースのジャンルに含まれる。天気予報のジャンルは天気予報番組である。また、設定するジャンル情報は一つに限らず、複数を設定することも可能である。
【００１８】
上記の設定がされた記録装置１０は、受信機１１で例えばテレビジョン放送信号を受信し、受信信号を記録部１２に供給すると共に番組情報取得部１３に供給する。番組情報取得部１３は、受信信号中の例えば垂直帰線消去期間（ＶＢＩ）に多重されているＥＰＧデータを番組情報として抽出して、制御部１４に供給する。ＥＰＧデータには、各チャンネルで放送される番組のタイトル、放送時刻、ジャンルの他、出演者、番組の内容などの情報が含まれている。
【００１９】
制御部１４はＥＰＧデータのジャンル情報より、全視聴可能チャンネルの設定されたジャンル情報、すなわちニュース番組を検出し、検出したニュース番組を受信機１１で選択受信させる。これにより、受信機１１で受信されたニュース番組の受信信号は記録部１２に供給され、ここで記録に適した所定の信号形態に変換された後、記録媒体の予め確保された記録領域に上書き記録される。
【００２０】
このようにして、視聴可能チャンネルのうちのどのチャンネルであっても、ニュース番組が放送されると、その都度、そのニュース番組が記録媒体の予め確保された記録領域に上書き記録されるため、予め確保されたこの記録領域には、チャンネル（放送局）に関係なく、常に最新のニュース番組だけが記録保持される。よって、記録媒体のこの記録領域を再生することにより、一つの放送局の更新サイクルに依存することなく、最新のニュースや天気予報を視聴することができる。
【００２１】
なお、本発明は上記の実施の形態に限定されるものではなく、例えば、ＥＰＧデータの取得は、放送波のＶＢＩに限らず、インターネットやデジタル放送のデータ放送などから入手することもできる。また、記録媒体の確保した記録領域に、所定時間分（情報量）のニュース番組を上書き記録する場合に限らず、所定の放送時間以下のニュース番組だけを上書き記録するようにしてもよい。また、アナログ放送は勿論、デジタル放送、データ放送においても同様に本発明を適用できる。また、デジタルラジオ放送においても、番組表が入手できるならば本発明を適用できる。
【００２２】
また、検出するジャンル情報はニュース番組や天気予報番組に限定されるものでなく、デジタルラジオ放送の交通情報でもよい。デジタルラジオ放送には一定時間毎に交通情報があるので、本発明を適用することにより、使用者が知りたいときに放送局に関係なく最新の交通情報を記録媒体から再生することができる。
【００２３】
【発明の効果】
以上説明したように、本発明によれば、同じジャンルの番組を放送局に関係なく受信して、記録媒体の予め設定された記録領域に上書き記録することにより、一つの放送局に依存することなく最後に受信された設定ジャンルの番組の信号を記録媒体の記録領域に保持するようにしたため、常に最新の設定ジャンルの番組を記録媒体から再生することができる。また、記録媒体の限られた記録領域しか使用しないため、同じ記録媒体の他の記録領域を別の情報の記録に使用でき、使用者が高価なデジタル放送対応機器を購入しなくても安価な構成で最新の設定ジャンルの番組を記録媒体から再生することができる。
【００２４】
また、本発明によれば、優先度指定手段により指定された方の番組の信号を、記録手段により予め設定された記録領域に上書き記録させることにより、使用者の意図に応じた優先順位で所望のジャンルの番組を記録することができるため、使用者の使い勝手の良い記録装置を実現できる。
【図面の簡単な説明】
【図１】本発明の一実施の形態のブロック図である。
【符号の説明】
１０  記録装置
１１  受信機
１２  記録部
１３  番組情報取得部
１４  制御部
１５  ユーザインタフェース（ＩＦ）
【図１】
0003912097.tif 000002